(57)【要約】      （修正有）【課題】旋転体中に、菓子を詰めることが可能で、音と光の効果を有し、付加価値をもたらすコマ玩具を提供する。【解決手段】光と音効果を有する菓子の容置が可能なコマ玩具であって、主に、旋転体１０と発射器２０と、からなる。旋転体は、空心の半球形体１１を有し、半球形体は、各種菓子を詰めることができる。半球形体開口端に係設された隔板１２は、透明材質からなり、発光装置を設置している。発光装置は、旋転体の旋転時に生成される遠心力により、内部に、導通する回路を形成して発光させる。発射器は、旋転体を駆動旋転させる。【選択図】図１
0003112227.tif 000002
【実用新案登録請求の範囲】
【請求項１】
光と音効果を有するコマ玩具は、主に、
旋転体と、
前記旋転体を駆動転動させる発射器と、からなり、
前記旋転体は、空心の半球形体を有し、前記半球形体は、各種菓子を詰めることができるようになっていて、前記半球形体開口端に係設された隔板は透明材質からなり、中に、発光装置を設置し、前記発光装置は、前記旋転体の旋転時に生成される遠心力により、内部に、導通する回路を形成して発光させ、前記隔板に、円形の凹槽を有し、前記凹槽の内環周壁上に、歯止めを有し、前記隔板中央部に、係合槽を形成し、前記隔板頂面に固設される透明の蓋板は、中央に、円形凹槽の面積より若干大きい穿孔を形成しているもので、
前記旋転体を駆動転動させる前記発射器は、円筒を有し、前記円筒は、前記旋転体側に封閉端を設け、もう一端は開口端であり、前記円筒封閉端の底面は、外径に、複数の爪を設置し、前記旋転体が発射器を脱離する前に、前記発射器に対し、単一方向に転動し、前記円筒封閉端の中心は、上向けに、空心柱を設けて、作動棒を枢設し、前記作動棒の底端は、前記円筒の底面を貫通すると共に、係合槽に対応する差込みを形成し、前記弾性素子の底端は、前記作動棒に固設され、もう一端は、前記空心柱上に掛設され、また、軸向けに、前記円筒開口端に固設されると共に、前記円筒の蓋体を封閉し、前記作動棒の頂端は、蓋体を貫通し、前記作動棒を押す時、前記旋転体を発射器から脱離させて回転させることを特徴とするコマ玩具。
【考案の詳細な説明】
【技術分野】
【０００１】
本考案は、コマ玩具に関するものであって、特に、旋転体中に、菓子を詰めることが可能で、音と光の効果を有するコマ玩具に関するものである。
【背景技術】
【０００２】
コマは、長い歴史を持ち、子供達に愛される玩具である。昔のコマは、紐をコマに巻き付けて、コマを回転させていたが、このようなコマは遊ぶのにテクニックが必要なので、現在は、発射器により駆動するものが出ている。
【０００３】
現在、市場に出回っているコマ発射器は、通常、ギアによりギアユニットを帯動して旋転させ、ギアユニットにより、発射器下方に設けられた旋転体を帯動すると共に、高速旋転時に生成される遠心力を利用して、発射器から脱離させて、自己旋転するものである。コマの使用者は、通常、児童であるので、安全性を考慮して、ラックとギアはプラスチック製であり、よって、一定期間使用後、ラックとギアの摩損により、伝動が不確実になり、コマの転動に影響を与える。
【０００４】
この他、一般の公知のコマは、通常、錘状の非中空構造体で、且つ、その外観上に色で変化を加える以外、いかなる音や光の旋転効果ももたらさないので、娯楽効果に欠け、錘状の非中空構造体内は、食品を詰めることが出来ないので、実用性にも欠ける。よって、本考案は、上述の問題を改善するコマ玩具を提供する。
【考案の開示】
【考案が解決しようとする課題】
【０００５】
本考案は、食品の充填が可能で、光と音の効果を有するコマ玩具を提供することを目的とする。
【課題を解決するための手段】
【０００６】
上述の目的を達成するため、本考案の光と音効果を有するコマ玩具は、主に、旋転体と、旋転体を駆動転動させる発射器と、からなる。旋転体は、空心の半球形体を有し、半球形体は、各種菓子を詰めることができるようになっている。半球形体開口端に係設された隔板は透明材質からなり、中に、発光装置を設置している。発光装置は、旋転体の旋転時に生成される遠心力により、内部に、導通する回路を形成して発光させる。隔板に、円形の凹槽を有し、凹槽の内環周壁上に、歯止めを有し、且つ、その中央部に、係合槽を形成している。隔板頂面に固設される蓋板は、中央に、円形凹槽の面積より若干大きい穿孔を形成している。旋転体を駆動転動させる発射器は、円筒を有し、円筒は、旋転体側に封閉端を設け、もう一端は開口端である。円筒封閉端の底面は、外径に、複数の爪を設置し、旋転体が発射器を脱離する前に、発射器に対し、単一方向に転動する。円筒封閉端の中心は、上向けに、空心柱を設けて、作動棒を枢設し、作動棒の底端は、円筒の底面を貫通すると共に、係合槽に対応する差込みを形成する。弾性素子の底端は、作動棒に固設され、もう一端は、空心柱上に掛設され、また、軸向けに、円筒開口端に固設されると共に、円筒の蓋体を封閉する。作動棒の頂端は、蓋体を貫通し、作動棒を押す時、旋転体を発射器から脱離させて回転させる。
【考案の効果】
【０００７】
本考案により、旋転体中に、菓子を詰めることが可能で、音と光の効果を有し、付加価値をもたらす。
【考案を実施するための最良の形態】
【０００８】
本考案の光と音効果を有するコマ玩具は、図で示されるように、主に、旋転体（１０）と、旋転体（１０）を駆動転動させる発射器（２０）と、からなる。
【０００９】
旋転体（１０）は、空心の半球形体（１１）を有し、半球形体（１１）は、サッカーボール状等で、各種菓子を詰めることができるようになっていて、子供達の購買欲を掻き立てる。半球形体（１１）中に菓子を詰める時、開口端をセロファンで封装し、菓子を外部の汚染から守る。半球形体（１１）開口端に係設された隔板（１２）は透明材質からなり、隔板（１２）頂面は、発光装置（１２１）を設置している。発光装置（１２１）は、旋転体（１０）の旋転時に生成される遠心力により、内部に、導通する回路を形成して発光させる。隔板（１２）中央は、円形の凹槽（１２２）を有し、凹槽（１２２）の内環周壁上に、歯止め（１２３）を有し、且つ、凹槽（１２２）中央部に、係合槽（１２４）を形成している。隔板（１２）頂面に固設される蓋板（１３）は、本考案の好ましい音と光効果を得るため、透明材質からなる。隔板中央は、穿孔（１３１）を形成し、穿孔（１３１）の面積は、円形凹槽（１２２）の面積より若干大きい。
【００１０】
発射器（２０）は、円筒（２１）を有し、円筒（２１）は、旋転体（１０）側に封閉端を設け、もう一端は開口端である。円筒（２１）封閉端の底面は、外径に、複数の爪（２１１）を設置し、旋転体（１０）が発射器（２０）を脱離する前に、発射器（１２）に対し、単一方向に転動する。円筒（２１）封閉端の中心は、上向けに、空心柱（２１２）を設けて、作動棒（２２）を枢設し、作動棒（２２）の底端は、円筒（２１）の底面を貫通すると共に、係合槽（１２４）に対応する差込み（２２１）を形成する。弾性素子（２３）の底端は、作動棒（２２）に固設され、もう一端は、空心柱（２１２）上に掛設され、また、軸向けに、円筒（２１）開口端に固設されると共に、円筒（２１）の蓋体（２４）を封閉する。作動棒（２２）の頂端は、蓋体（２４）を貫通すると共に、ボタン（２２２）を設置して、使用者が、作動棒（２２）を押しやすいような構造になっている。旋転体（１０）を発射器（２０）から脱離して回転させ、使用者が作動棒（２２）を押す時、施力しやすくするために、蓋体（２４）は、耳部（２４１）を伸設し、使用者がボタン（２２）を押す時、指で、掛持できるようになっている。
【００１１】
使用時、図４〜図７で示されるように、まず、旋転体（１０）を、発射器（２０）の底端に嵌設し、歯止め（１２３）と爪（２１１）は噛合し、同時に、作動棒（２２）の差込み（２２１）は係合槽（１２４）に差し込まれ、その後、歯止め（１２３）と爪（２１１）が設定する方向に従って、旋転体（１０）と発射器（２０）を転動させる。この時、旋転体（１０）は、作動棒（２２）を帯動して、円筒（２１）を転動させ、弾性素子（２３）を捻り、弾性素子（２３）が儲存する弾力は、歯止め（１２３）と爪（２１１）の噛合作用により、暫時、釈放されない。この時、旋転体（１０）と発射器（２０）は、継続して転動し、弾性素子（２３）が儲存する弾力エネルギーが一定程度に達する時、使用者は、作動棒（２２）を下に押して、旋転体（１０）を推動し、歯止め（１２３）と爪（２１１）を脱離させる。この時、弾性素子（２３）が儲存する弾力は、瞬間釈放されて、作動棒（２２）を快速に旋転させ、旋転体（１０）は、瞬間高速転動すると共に、発射器（２０）、及び、作動棒（２２）を脱離させて、旋転体（１０）を転動させ、音と光を発生する娯楽効果を達成する。
【００１２】
本考案は、公知のコマの娯楽目的以外に、隔板（１２）中に、発光装置（１２１）を設置することにより、コマ玩具の娯楽効果をもたらし、この他、半球形体（１１）内に、各種菓子を詰めることができて、児童の購買意欲をかきたて、販売量を増加させる目的を達成する。本考案は、半球形体（１１）が容置空間となる新機能を有し、新規性を有すると言える。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１４】
【図１】本考案の立体外観図である。
【図２】本考案の立体分解図である。
【図３】本考案の局部立体断面図である。
【図４】本考案の側視図である。
【図５】本考案の図４中のB-Bに沿った断面図である。
【図６】本考案の図４中のD-Dに沿った断面図である。
【図７】本考案の旋転体が発射器を脱離して旋転することを示す図である。
【符号の説明】
【００１５】
１０…旋転体
１１…半球形体
１２…隔板
１２１…発光装置
１２２…円形凹槽
１２３…歯止め
１２４…係合槽
１３…蓋板
１３１…穿孔
２０…発射器
２１…円筒
２１１…爪
２１２…空心柱
２２…作動棒
２２１…差込み
２２２…ボタン
２３…弾性素子
２４…蓋体
２４１…耳部
【図１】
0003112227.tif 000003
【図２】
0003112227.tif 000004
【図３】
0003112227.tif 000005
【図４】
0003112227.tif 000006
【図５】
0003112227.tif 000007
【図６】
0003112227.tif 000008
【図７】
0003112227.tif 000009